(57)【要約】【課題】定期刊行物中の特定号等今後販売予定の書籍を１冊から販売予約する書籍販売システムを提供する。【解決手段】インターネット３上に開設したウェブサイトに、顧客端末からの書籍購入または予約の注文を受け付ける書籍販売受付ページを閲覧可能に設けたウェブサーバ２を具備した書籍販売システムである。書籍販売受付ページは、現在入荷済で発売中の書籍の名称を含む発売中書籍データを表示する発売中欄と、現在未入荷で今後発売予定の書籍の名称を含む発売予約書籍データを表示する発売予定欄と、を有する。ウェブサーバは、発売予約書籍データが入力されたときに、その書籍の少なくとも仮名称を自動生成して発売予定欄に表示させる仮名自動生成手段２ａ１と、この発売予定欄に表示された書籍の発売予定日が到来したとき、あるいは発売日到来前でも入荷があったときに、その書籍の発売予約書籍データを発売中欄に移動させて発売中書籍データに変更させるＨＰ更新手段２ａ２と、を具備している。【選択図】  図１
2004303132.tif 000002
【特許請求の範囲】
【請求項１】
インターネット上に開設したウェブサイトに、顧客端末からの書籍購入または予約の注文を受け付ける書籍販売受付ページを閲覧可能に設けたウェブサーバを具備した書籍販売システムであって、
上記書籍販売受付ページは、現在入荷済で発売中の書籍の名称と発行日とを少なくとも含む発売中書籍データを表示する発売中欄と、現在未入荷で今後発売予定の書籍の名称と発売予定日とを少なくとも含む発売予約書籍データを表示する発売予定欄と、上記書籍データ毎に表示されて上記顧客端末からの書籍の注文とその冊数を少なくとも入力する注文入力欄を有し、
上記ウェブサーバは、
上記書籍販売受付ページを作成すると共に、その表示を更新するためのデータが入力されるデータ入力手段と、
このデータ入力手段に上記発売予約書籍データが入力されたときに、その書籍の少なくとも仮名称を予め設定した基準に従って自動生成して上記発売予定欄に表示させる仮名自動生成手段と、
この発売予定欄に表示された書籍の発売予定日が到来したとき、または書籍が入荷済みとなったときに、その書籍の上記発売予約書籍データを上記発売中欄に移動させて発売中書籍データに変更させる更新手段と、
を具備していることを特徴とする書籍販売システム。
【請求項２】
上記ウェブサーバは、
上記書籍販売受付ページにて上記顧客端末により書籍の購入または予約が注文されたときに、その注文客に関する顧客情報と購入または予約の書籍を特定するための書籍データおよびその注文日とを少なくとも関連付けて保存する購入予約データ保存手段を、
具備していることを特徴とする請求項１記載の書籍販売システム。
【請求項３】
上記ウェブサーバは、
上記書籍購入予約日がその予約された書籍の出版社への予約注文締切日よりも前であると判断したときに、その顧客の書籍価格を所定率値引きする予約ディスカウント手段を、
具備していることを特徴とする請求項２記載の書籍販売システム。
【請求項４】
上記ウェブサーバは、
上記データ入力手段により、上記顧客により購入予約された書籍の入荷日が入力されたときに、その入荷書籍を予約した予約客の電子メールアドレスを含む電子メール送信に必要な顧客情報を上記購入予約データ保存手段から読み出し、この電子メールにより上記書籍の入荷日を上記予約客に通知する電子メール文を自動作成し配信する入荷日自動配信手段を、
具備していることを特徴とする請求項３記載の書籍販売システム。
【請求項５】
上記ウェブサーバは、
上記データ入力手段により、発売予定の書籍の入荷日が入力されたときに、その入荷日に入荷する書籍の購入を予約した顧客に入荷した書籍を配送するために必要な顧客情報を上記購入予約データ保存手段から読み出して書籍配送データを作成する配送データ作成手段を、
具備していることを特徴とする請求項３または４記載の書籍販売システム。
【請求項６】
上記ウェブサーバは、
上記書籍販売受付ページにて上記顧客端末により複数冊の書籍購入または予約が入力され、しかもこれら購入または予約された複数冊の書籍を同時に配送する場合は、その書籍送料として、書籍１冊につき１回の送料の合計から所定率を割り引いた送料を算出し、この割引額を、次回予約した書籍の送料を含む総額から割り引くために貯金する送料割引額貯金手段を、
具備していることを特徴とする請求項１〜５のいずれか１項に記載の書籍販売システム。
【発明の詳細な説明】
【０００１】
【発明の属する技術分野】
本発明はインターネットのウェブサイトで定期刊行物の雑誌等の書籍を１冊から販売ないし予約販売する書籍販売システムに関する。
【０００２】
【従来の技術】
一般に、この種のインターネットを利用したオンライン書籍販売システムは、従来から知られている（例えば特許文献１，２参照）。
【０００３】
すなわち、この種の書籍販売システムは、インターネットのウェブサイトに、書籍販売の注文を受ける受付ページを開設し、顧客端末からの書籍の注文を受注している。
【０００４】
【特許文献１】
特開２００２−９２４０８号公報
【０００５】
【特許文献２】
特開２００２−５６２０５号公報
【０００６】
【発明が解決しようとする課題】
しかしながら、このような従来の書籍販売システムでは、雑誌等の定期刊行物を年間購買や所定期間の購買等の注文を受け付けることはあっても、そのうちの１冊のみの購入注文の受付や、今後販売予定の所要号の購入予約注文を１冊から受け付けるシステムは存在しなかった。
【０００７】
このために、書籍が年間定期刊行物の雑誌である場合は、顧客がその年間定期発行号のうち、所定号のみの購入を希望する場合でも、年間単位の購入を注文しなければならず、不経済であるという課題がある。
【０００８】
本発明はこのような事情を考慮してなされたもので、その目的は、定期刊行物中の特定号等今後販売予定の書籍を含む種々の書籍をウェブサイトで１冊から販売する書籍販売システムを提供することを目的とする。
【０００９】
【課題を解決するための手段】
本願の請求項１に係る発明は、インターネット上に開設したウェブサイトに、顧客端末からの書籍購入または予約の注文を受け付ける書籍販売受付ページを閲覧可能に設けたウェブサーバを具備した書籍販売システムであって、上記書籍販売受付ページは、現在入荷済で発売中の書籍の名称と発行日とを少なくとも含む発売中書籍データを表示する発売中欄と、現在未入荷で今後発売予定の書籍の名称と発売予定日とを少なくとも含む発売予約書籍データを表示する発売予定欄と、上記書籍データ毎に表示されて上記顧客端末からの書籍の注文とその冊数を少なくとも入力する注文入力欄を有し、上記ウェブサーバは、上記書籍販売受付ページを作成すると共に、その表示を更新するためのデータが入力されるデータ入力手段と、このデータ入力手段に上記発売予約書籍データが入力されたときに、その書籍の少なくとも仮名称を予め設定した基準に従って自動生成して上記発売予定欄に表示させる仮名自動生成手段と、この発売予定欄に表示された書籍の発売予定日が到来したとき、または書籍が入荷済みとなったときに、その書籍の上記発売予約書籍データを上記発売中欄に移動させて発売中書籍データに変更させる更新手段と、を具備していることを特徴とする書籍販売システムである。
【００１０】
請求項２に係る発明は、上記ウェブサーバは、上記書籍販売受付ページにて上記顧客端末により書籍の購入または予約が注文されたときに、その注文客に関する顧客情報と購入または予約の書籍を特定するための書籍データおよびその注文日とを少なくとも関連付けて保存する購入予約データ保存手段を、具備していることを特徴とする請求項１記載の書籍販売システムである。
【００１１】
請求項３に係る発明は、上記ウェブサーバは、上記書籍購入予約日がその予約された書籍の出版社への予約注文締切日よりも前であると判断したときに、その顧客の書籍価格を所定率値引きする予約ディスカウント手段を、具備していることを特徴とする請求項２記載の書籍販売システムである。
【００１２】
請求項４に係る発明は、上記ウェブサーバは、上記データ入力手段により、上記顧客により購入予約された書籍の入荷日が入力されたときに、その入荷書籍を予約した予約客の電子メールアドレスを含む電子メール送信に必要な顧客情報を上記購入予約データ保存手段から読み出し、この電子メールにより上記書籍の入荷日を上記予約客に通知する電子メール文を自動作成し配信する入荷日自動配信手段を、具備していることを特徴とする請求項３記載の書籍販売システムである。
【００１３】
請求項５に係る発明は、上記ウェブサーバは、上記データ入力手段により、発売予定の書籍の入荷日が入力されたときに、その入荷日に入荷する書籍の購入を予約した顧客に入荷した書籍を配送するために必要な顧客情報を上記購入予約データ保存手段から読み出して書籍配送データを作成する配送データ作成手段を、具備していることを特徴とする請求項３または４記載の書籍販売システムである。
【００１４】
請求項６に係る発明は、上記ウェブサーバは、上記書籍販売受付ページにて上記顧客端末により複数冊の書籍購入または予約が入力され、しかもこれら購入または予約された複数冊の書籍を同時に配送する場合は、その書籍送料として、書籍１冊につき１回の送料の合計から所定率を割り引いた送料を算出し、この割引額を、次回予約した書籍の送料を含む総額から割り引くために貯金する送料割引額貯金手段を、具備していることを特徴とする請求項１〜５のいずれか１項に記載の書籍販売システムである。
【００１５】
【発明の実施の形態】
本発明の実施形態を添付図面に基づいて説明する。
【００１６】
図１は本発明の第１の実施形態の全体構成を示すシステム構成図、図８は図１で示すウェブサーバのデータ処理ないし作用を示すフローチャートである。
【００１７】
図１に示すように書籍販売システム１はウェブサーバ２をインターネット３またはイントラネットに接続しており、このインターネット３等に接続される複数の顧客端末４，４，…とは双方向でデータ通信可能に構成されている。
【００１８】
上記ウェブサーバ２は、書籍販売業者により運営管理されるサーバであり、このウェブサーバ２に所要のデータを入力するデータ入力手段の一例であるクライアント５を備えている。このクライアント５はキーボード５ａや図示しないマウス等の入力装置、モニタ５ｂおよび図示しないプリンタを備えている。但し、ウェブサーバ２を例えばデータセンター等に設置する一方、クライアント５をこのデータセンターから離間した書籍販売業者の事業所等に設置し、このクライアント５をインターネット３を介してウェブサーバ２に通信自在に接続するように構成してもよい。
【００１９】
ウェブサーバ２は、仮名自動生成手段２ａ１およびホームページ更新手段２ａ２を有するホームページ作成管理手段２ａ、購入予約データ保存手段２ｂ、予約ディスカウント手段２ｃ、入荷日自動配信手段２ｄ、発送データ作成手段２ｅおよび送料割引額貯金手段２ｆを具備している。
【００２０】
上記ホームページ作成管理手段２ａはクライアント５からのデータ入力により所要のホームページを作成かつ更新し、管理するものであり、このホームページは、各顧客端末４のブラウザにより適宜閲覧することができる。
【００２１】
図２はこのホームページ中の書籍販売受付ページ６を示しており、この書籍販売受付ページ６により顧客端末４からの雑誌等の購入予約注文を受け付けるようになっている。
【００２２】
この書籍販売受付ページ６は、週刊誌や月刊誌、季刊誌等定期刊行物をその号数が指定されたときに、その雑誌を１冊から販売するための雑誌販売（予約）ページであり、複数種の雑誌名等書籍名毎に複数ページ有する。以下、書籍販売としてこれら定期刊行の雑誌を販売（予約）する場合について説明する。
【００２３】
書籍販売受付ページ６は、雑誌名欄６ａ、発売中欄６ｂ、発売予約欄６ｃおよび注文入力欄である注文入力ボックス欄６ｄとを有する。雑誌名欄６ａは週刊誌、月刊誌、季刊誌等定期または不定期刊行書籍の名称を表示する欄である。
【００２４】
発売中欄６ｂは書籍販売業者側に現在入荷済もしくは雑誌の発売日を過ぎた発売中の雑誌を表示する欄であり、当該雑誌の発売日（例えば図２では２００２年１１月３０日等と表示）と、その雑誌の号名（例えば図２では２００２年１１月号等を示す「０２ＮＯＶ」と表示）を含む発売中書籍データを表示する欄である。
【００２５】
発売予定欄６ｃは、発売中欄６ｂの下方に配設されて、上記雑誌の号名（例えば２００２年１２月号等を示す「０２ＤＥＣ」）と、その発売予定日（例えば２００２年１２月３０日頃）を含む発売予約書籍データを表示する欄である。
【００２６】
注文入力ボックス欄６ｄは購入予約する雑誌の予約と、その予約冊数をプルダウンメニュー等により選択して入力する欄であり、定期刊行書籍であっても、その単一号を指定することにより、１冊から注文することができる。
【００２７】
また、書籍販売受付ページ６は、その各ページ毎に、そのページの下部等において、「まとめて買い物カゴに入れる」表示ボタン６ｅと、その買い物をキャンセルするための「リセット」表示ボタン６ｆとを設けている。顧客端末４の操作により所要の雑誌名の書籍販売受付ページ６を閲覧して、購入希望の号名欄の購入冊数もしくは予約冊数を入力してから「まとめて買い物カゴに入れる」表示ボタン６ｅをクリックすることにより、その号名の雑誌を１冊から購入もしくは予約することができる。
【００２８】
図３は、この書籍販売受付ページ６を書籍名または雑誌名毎にウェブサーバ２のホームページ作成管理手段２ａにより作成更新するために必要なデータを入力する場合に、クライアント５のモニタ５ｂに表示されるデータ入力手段のタイトル（書籍名）登録画面７の一例を示している。
【００２９】
このタイトル登録画面７の入力項目には、クライアント５のキーボード５ａやマウス等の入力装置の入力操作により、雑誌名（または書籍名）を入力するタイトル名欄７ａ、発刊間隔欄７ｂ、出版社への注文締切日欄７ｃ等のデータ入力欄を有する。発刊間隔欄７ｂはこの雑誌の発刊間隔をラジオボタンに入力する欄であり、毎週は週刊誌を示し、隔週は隔週で発刊される隔週誌、毎月は月刊誌、隔月は隔月誌、季節は季刊誌をそれぞれ示す。
【００３０】
また、出版社への注文締切日欄７ｃは書籍販売業が書籍（雑誌）の出版社に直接注文する場合の締切日を入力する欄であり、後述するようにこの注文締切日よりも顧客の雑誌予約の注文日の方が早かったときに、雑誌の購入価格を割り引く予約ディスカウント手段２ｃの対象となる。
【００３１】
このタイトル登録画面７の所要の入力項目に所要の雑誌名（例えば「×××ＢＯＹ」）等を入力すると、これらの入力データはホームページ作成管理手段２ａにより図示しない書籍データ保存手段に保存される一方、図２で示す書籍販売受付ページ６の作成に使用される。
【００３２】
しかし、この書籍販売受付ページ６の発売予定欄６ｃには、このタイトル登録画面７への雑誌データ入力時点で、この雑誌の号名が正式に決定した正式名称を表示する欄６ｆと、この時点ではまだ雑誌の号名が正式に決定していないために仮名称を表示する欄６ｇとがある。
【００３３】
この号名の仮名称は、上記タイトル登録画面７に雑誌データが入力された場合に、ウェブサーバ２の仮名自動生成手段２ａ１により所定の基準に従って、例えば雑誌の号が発行される予定の西暦年月（例えば２００３年７月）に基づいて、例えば「２００３−７（仮名）」を自動生成して仮名称欄６ｇに表示するものである。また、この号の発売予定日もまだ未定であるので、タイトル登録（入力）時点を基準にして何ヶ月以内（例えば７ヶ月以内）であるか否かのように表示し、発売予定日が決定している場合と異なった表示をすることにより両者を識別し得るように表示している。
【００３４】
そして、ウェブサーバ２のホームページ更新手段２ａ２は、図２に示すように書籍販売受付ページ６の発売予約欄６ｃに表示された雑誌の各号の発売予定日を、内蔵クロックによりカウントされた現実の日と適宜照合し、雑誌の所要号の発売日が現実日に到来し、または現実日よりも過ぎたときに、あるいは発売日到来前でも入荷があったときに、その号名と発売予定日の表示箇所を、発売予約欄６ｃから発売中欄６ｂに自動的に移動させて更新し、この号が入荷済みのものであるか、あるいは発売日を過ぎたもの（雑誌）であることを表示する。
【００３５】
例えば図２中、発売予約欄６ｃの一番上に表示されている発売予定日が「２００２年１２月３０日頃」の号名（正式名称）が「０２ＤＥＣ」の表示は現実の日が２００２年１２月３０日を経過した時点で発売中欄６ｂに自動的に移動される。
【００３６】
そして、図２で示す書籍販売受付ページ６中の号数の仮名称はウェブサーバ２に号登録することにより正式名称に書き換えられる。
【００３７】
すなわち、図４に示す号登録画面８をクライアント５の所要の操作により、そのモニタ５ｂに表示させ、この号登録画面８に正式の号名（例えば０３ＪＵＬ）等を入力すると、ウェブサーバ２は図５で示す書籍販売受付ページ６の正式名称表示欄６ｆに示すように号名を仮名から正式名に書き換え更新する。
【００３８】
購入予約データ保存手段２ｂは、書籍販売受付ページ６の所要の雑誌の号名に対して顧客端末４から発売中の雑誌の購入や発売予定の雑誌の購入予約が入力されたときに、その購入，予約雑誌の号および予約入力日（予約注文日）と、その予約客が入力した予約雑誌の発送希望日および予約客の個人情報（顧客情報）とを、互いに関連付けて保存するデータ保存手段である。
【００３９】
図６は書籍販売受付ページ６において、顧客端末４により所要の雑誌の購入ないし予約注文が入力されたときに、その購入予約を注文した雑誌の発送先を含む顧客情報を顧客に入力させる発送先入力欄９を示す。
【００４０】
この発送先入力欄９には発送先として顧客の氏名（名前）、住所、電子メールアドレス、パスワード等の個人情報入力項目がある。この個人情報は、顧客情報の一部として上記予約データ保存手段２ｂに保存される。
【００４１】
予約ディスカウント手段２ｃは、書籍販売受付ページ６にて雑誌購入の予約が入力されたときに、その予約日を、タイトル登録画面７の出版社への注文締切日欄７ｃに入力された注文締切日よりも前であると判断したときに、ディスカウント予約のフラグを立て、注文雑誌の合計額を算出する際に、その合計額から所定率割引するものである。なお、顧客の予約注文日はホームページ作成管理手段２ａの雑誌データ保存手段から読み出される。
【００４２】
これは販売予約が出版社の注文締切日よりも前であれば、出版社が雑誌を出版する部数を確定できるメリットがあるので、そのメリットを書籍価格の割引として顧客に与えるためである。
【００４３】
入荷日自動配信手段２ｄは書籍販売受付ページ６で顧客が予約注文した雑誌等が書籍販売業者に入荷されたことを検出したときに、その入荷した事実と発送予定日を当該予約をした顧客に知らせる電子メール文を自動的に作成して配信するものである。
【００４４】
すなわち、雑誌等書籍が書籍販売受付ページ６を開設している書籍販売業者に現実に入荷されると、この書籍販売業者はクライアント５の所要の操作により、そのモニタ５ｂに入荷登録画面１０を表示させ、この入荷登録画面１０に、雑誌名と、この雑誌が定期刊行物の場合はその号名等所要の入力項目にデータを入力ないしは選択し、登録表示ボタン１０ａをクリックすると、そのデータ入力日が入荷日としてウェブサーバ２の入荷日自動配信手段２ｄに登録される。
【００４５】
入荷日自動配信手段２ｄは、その雑誌入荷日が登録されると、その入荷した雑誌を購入予約した顧客情報を予約データ保存手段２ｂから読み出し、予め作成されている定型の入荷日通知文に、入荷日および発送予定日を記入すると、共に、顧客の氏名等を付加して顧客の電子メールアドレスに送信する機能を有する。
【００４６】
配送データ作成手段２ｅは図７で示す入荷登録画面１０により所要の雑誌の入荷日が登録されると、この入荷された雑誌の購入を予約した予約客名等と、この予約客に予約された雑誌を予約客に配送するために必要な顧客情報を予約データ保存手段２ｂから読み出し、雑誌の配送に必要な配送データを作成する機能を有する。
【００４７】
したがって、書籍販売店側では、この配送データに基づいて雑誌をその予約客に簡単迅速に配送することができる。雑誌の配送は宅配便や郵便等適宜配送手段により行なわれる。
【００４８】
送料割引額貯金手段２ｆは、複数冊の書籍購入もしくは予約が入力され、しかもこれら購入もしくは予約された複数冊の書籍を同時に配送する場合は、その書籍送料として、書籍１冊につき１回の送料の合計から所定率を割り引いた送料を算出し、この割引額を、次回予約した書籍の総額から割り引くために貯金する機能を有する。すなわち、本来、複数冊の書籍を予約した場合は、１回の送料に、書籍の複数（冊）を乗算して送料の合計を算出するが、これら複数冊をまとめて１回で配送する場合には、送料は１冊分のみを請求し、残りの冊数の送料分を割り引くようになっている。
【００４９】
図８はこのように構成されたウェブサーバ２の処理プログラムと書籍販売システム１の作用を示すフローチャートであり、図中Ｓに数字を付した符号はこのフローチャートの各ステップを示す。
【００５０】
まずＳ１で、ウェブサーバ２に、これから書籍販売受付ページ６に掲載しようとする書籍の名称等、書籍に関する書籍データをデータ入力手段により入力して登録する。すなわち、書籍販売店側でクライアント５によりウェブサーバ２にアクセスし、書籍販売受付ページ作成のメニュー選択操作を行なうと、ウェブサーバ２のホームページ作成管理手段２ａが起動する。さらに、クライアント５によりタイトル（雑誌名）登録のサブメニューを選択すると、クライアント５のモニタ５ｂに例えば図３で示すタイトル登録画面７が表示される。
【００５１】
そこで、このクライアント５の所要の操作により、このタイトル登録画面７に、これから登録しようとする種々の書籍、例えば雑誌のタイトル名（雑誌名）や刊行間隔等所要の書籍データを入力する。また、月刊雑誌等で今後発売予定の号については、既に正式名称が決定しているものについては図４で示す号登録画面８をクライアント５のモニタ５ｂに表示させて、正式名称を登録する。この号登録は正式名称と発売予定日が決定次第、適宜入力される。
【００５２】
すると、次のＳ２でホームページ作成管理手段２ａにより例えば図２で示す書籍販売受付ページ６が各書籍（雑誌）毎に自動作成される。しかも、これから発売予定でまだ正式名称と発売予定日が決定していない号数の名称については、ホームページ作成管理手段２ａの仮名自動生成手段２ａ１により仮名が自動生成され、書籍販売受付ページ６の発売予定欄６ｃに表示される。
【００５３】
そして、Ｓ３では、書籍販売受付ページ６のうち、月刊誌等定期刊行物の書籍販売受付ページ６については、その発売予定欄６ｃに掲載された号名の発売予定日が到来したとき、あるいは発売到来前でも入荷があったときには、ホームページ更新手段２ａ２により、その号名の表示箇所が発売予定欄６ｃから発売中欄６ｂに自動的に移動される。この発売中欄６ｂへの移動は号名の発売予定日が現実日に到来ないし経過したときあるいは発売日到来前でも入荷があったときに随時実行される。
【００５４】
こうして書籍販売受付ページ６が自動作成された（Ｓ４）後は、この書籍販売受付ページ６を顧客端末４により顧客が随時閲覧できるので、随時、顧客からの雑誌等書籍の購入予約（Ｓ５）をこの書籍販売受付ページ６により受け付けることができる。
【００５５】
この書籍販売受付ページ６により受け付けた書籍の予約データは予約データ保存手段２ｂにより保存される。
【００５６】
Ｓ６では、雑誌の発行予定の号の正式名称および発送予定日が判明次第、適宜、号登録され、書籍販売受付ページ６が更新される。
【００５７】
次のＳ７では、顧客端末４により書籍販売受付ページ６にて所要の書籍についての購入予約が入力されたときに、予約ディスカウント手段２ｃは、ホームページ作成管理手段２ａの図示しない書籍データ保存手段からこの顧客により購入予約された書籍の出版社への予約注文締切日を読み出し、この予約注文締切日が顧客の購入予約日よりも前であるか否か判断し、顧客の購入予約日の方が出版社の予約注文締切日よりも前であったときに、この書籍の販売価格から予め設定した所定率値引し、その値引額を記録しておく。
【００５８】
次のＳ８で、書籍販売店に書籍が入荷されたときには、書籍販売店側でクライアント５のモニタ５ｂに表示した図７で示す入荷登録画面１０から入荷日等を入力する。
【００５９】
すると、Ｓ９で入荷日自動配信手段２ｄは、この入荷登録画面１０に入力された書籍についての入荷日を読み出し、この入荷日に入荷した書籍の購入を予約した顧客を予約データ保存手段２ｂから読み出し、この顧客にその入荷した書籍および発送予定日を電子メールにより通知する電子メール文を自動作成し、配信する。
【００６０】
したがって、入荷登録画面１０により書籍の入荷日等を登録することにより、その入荷日および発送予定日をその書籍を購入予約した顧客に、電子メールにより自動的に通知することができる。
【００６１】
次のＳ１０では、ウェブサーバ２の請求書発行手段により顧客毎の請求書を発行し、さらに、書籍を顧客へ配送するための配送データを発送データ作成手段２ｅにより作成し、また、送料別割引額貯金手段２ｆにより書籍送料を算出する一方、その送料の割引額を算出し、貯金する。
【００６２】
すなわち、請求書発行手段は購入予約された書籍および送料、税金、等の総額を顧客毎に算出し、その際、予約ディスカウント手段２ｃにより割引された場合は、その割引額を書籍等の総額から差し引いて請求金額とする。また、請求書発行手段は送料については顧客の指定した発送希望日の回数に応じた送料と予約書籍１冊について１回分の送料（単位送料）を請求し、書籍冊数が１冊増える毎に単位送料を加算し、所定様式の請求書を作成する。
【００６３】
配送データ作成手段２ｅは発売予定の書籍の入荷日が入力されたときに、その入荷日に入荷する書籍の購入を予約した顧客の氏名等、書籍を配送するために必要な顧客情報を購入予約データ保存手段２ｂから読み出して配送データを作成する。この配送データは書籍を宅配便や郵便等により顧客に配送する際に使用される。
【００６４】
送料割引額貯金手段２ｆは、請求書発行手段により算出した送料を、複数冊の書籍を同一顧客に同時、すなわち１回の配送で配送する場合に所定額を割引し、次回予約までプール（貯金）する。
【００６５】
すなわち、請求書発行手段では、書籍の送料として１冊の予約書籍毎に所定の単位額を請求するので、書籍が複数冊の場合は、これら書籍の配送のタイミングの如何を問わず、単位額の複数倍を送料として算出している。例えば１冊の書籍の送料が２００円（単位額）とする場合、２冊の書籍の送料は４００円（２冊×２００円）となる。
【００６６】
しかし、送料割引額貯金手段２ｆは、この複数冊の書籍を同一顧客に同時、すなわち、１回の配送で配送する場合には、１冊分の送料のみを送料として算出し、他の冊分の送料は割引として貯金し、次回、同一の顧客が書籍を購入予約したときに、その総額からこの送料割引の貯金を差し引く。
【００６７】
この送料割引額貯金手段２ｆは次の場合にも機能する。例えば所要の顧客が、既に入荷済みの在庫品（書籍）Ａ１冊の購入と未入荷の書籍Ｂ１冊の予約を同時にしたとする。つまり、計２冊の書籍を注文し、この注文日が４月１日であったと仮定する。
【００６８】
さらに、この顧客が送料を節約したいと考えて書籍Ａ，Ｂの同時発送を希望した場合、この顧客は書籍販売受付ページ６において買い物途中の画面で、在庫品Ａの発送希望日を設定し得る最も遅い日に指定する。例えば書籍販売店側で認めた発送希望日の最も遅い日が３０日後である場合、顧客は４月３１日を発送希望日として入力する。その後、予約品Ｂが３０日以内に入荷したとする。例えば、予約品Ｂが注文後２０日目の４月２１日に入荷したとする。すると、書籍販売店側では、その入荷日を入荷登録すると同時に、４月２２日に発送します、というメッセージを伝える入荷通知自動メールを予約客に送信する。
【００６９】
そこで、顧客は会員画面にログインし、在庫品Ａの発送希望日を４月３１日ではなく、４月２２日に書き換える（更新する）。このとき、その他にも買いたいもの（例えば在庫品Ｃ）があれば追加で購入し、その発送希望日を４月２２日に指定すれば、送料割引額貯金手段２ｆにより書籍Ａ，Ｂ，Ｃ全てが１回の発送にまとめられ、これら２回分の送料が節約（貯金）される。これにより顧客は送料を節約することができる。
【００７０】
一方、書籍販売店側ではその節約した送料貯金を他の書籍販売店では使用できないので、顧客はこの送金貯金を活用するために次回もこの書籍販売店から書籍を購入するようになり、いわゆる顧客の囲い込みが行なわれる。
【００７１】
また、図３で示すタイトル登録画面７にて書籍データをウェブサーバ２のホームページ作成管理手段２ａにより図２、図６で示す書籍販売受付ページ６を自動作成することができる。
【００７２】
さらに、この書籍販売受付ページ６の発行予定（未入荷）の書籍のうち、週刊誌や月刊誌等定期刊行物の雑誌の号の正式名称が未登録の場合は、仮名自動生成手段２ａ１により仮名を自動生成して発売予定欄６ｃに表示するので、正式名称がまだ付与されていないあるいは発売予定がまだ決定していない雑誌の号を特定することができる。
【００７３】
このために、仮名の号に正式名称が付与される前からその号の購入予約を受け付けることができ、商機の拡大を図ることができる。
【００７４】
また、発行予定の書籍の発売予定日が現実に到来し、または過ぎたとき、あるいは発売日到来前でも入荷があったときには、ホームページ更新手段２ａ２により書籍販売受付ページ６の発行予定欄６ｃに掲載されていた書籍の名称や発売予定日等の書籍データを、発売中欄６ｂに自動的に移動させるので、人手によりこれらを移動をする必要がない。
【００７５】
このために、書籍販売受付ページ６の維持管理に要する人手を大幅に軽減することができると共に、人手の入力ミスによる書籍販売受付ページ６の表示ミスを低減でき、その維持管理のコストも低減できる。
【００７６】
また、書籍販売受付ページ６における書籍の購入予約日が出版社の書籍購入注文締切日よりも前であるときには、その購入書籍の価格を所定率値引きするので、書籍販売受付ページ６での書籍の購入予約日を早めることができる。このために、書籍購入の予約期間を長くすることができるので、予約件数の増大を図ることができる。
【００７７】
さらに、入荷日自動配信手段２ｄにより予約した書籍の入荷日および発送予定日を顧客に電子メールにより自動的に通知するので、人手により入荷日を通知する文書を作成し配送する作業を省略することができる。これにより同時配送が可能となり送料を節約でき、人件費の大幅な削減を図ることができるうえに、入荷日の顧客への懈怠を防止ないし低減できる。
【００７８】
また、書籍を顧客に配送する場合でも、その配送に必要な配送データを配送データ作成手段２ｅにより自動作成するので、書籍の配送作業の効率向上と配送精度の向上とを共に図ることができる。
【００７９】
【発明の効果】
以上説明したように本発明によれば、書籍販売受付ページの発行予定（未入荷）の書籍のうち、週刊誌や月刊誌等、定期刊行物の雑誌の号の正式名称が未登録の場合は、仮名自動生成手段により仮名を自動生成して発売予定欄に表示するので、正式名称がまだ付与されていない雑誌の号を特定することができる。
【００８０】
このために、仮名の号に正式名称が付与される前からその号の購入予約を受け付けることができ、商機の拡大を図ることができる。
【００８１】
また、発行予定の書籍の発行予定日が現実に到来し、または過ぎたとき、あるいは発売日到来前でも入荷があったときには、ホームページ更新手段により書籍販売受付ページの発行予定欄に掲載されていた書籍の名称や発行予定日等の書籍データを発売中欄に自動的に移動させるので、人手によりこれら移動をする必要がない。
【００８２】
このために、書籍販売受付ページの維持管理に要する人手を大幅に軽減することができると共に、人手の入力ミスによる書籍販売受付ページの表示ミスを低減でき、その維持管理のコストも低減できる。
【図面の簡単な説明】
【図１】本発明の一実施形態に係る書籍販売システムのシステム構成図。
【図２】図１で示すウェブサーバのホームページ作成管理手段により作成される書籍販売受付ページの一例を示す図。
【図３】図１で示すウェブサーバに書籍のデータを登録するためにクライアントのモニタに表示されるタイトル（書籍名）登録画面を示す図。
【図４】図１で示すウェブサーバに雑誌の号を登録するためにクライアントのモニタに表示される号登録画面を示す図。
【図５】図１で示すウェブサーバのホームページ作成管理手段により作成される書籍販売受付ページの他例を示す図。
【図６】図２、図５で示す書籍販売受付ページにて書籍の購入を予約したときに、その顧客に対して入力が配送先として促される発送先入力欄を示す図。
【図７】図１で示すウェブサーバに、書籍の入荷日等を登録するためにクライアントのモニタに表示される入荷登録画面を示す図。
【図８】図１で示すウェブサーバの処理プログラムないし作用を示すフローチャート。
【符号の説明】
１  書籍販売システム
２  ウェブサーバ
２ａ  ホームページ作成管理手段
２ａ１  仮名自動生成手段
２ａ２  ホームページ更新手段
２ｂ  予約データ保持手段
２ｃ  予約ディスカウント手段
２ｄ  入荷日自動配信手段
２ｅ  配送データ作成手段
２ｆ  送料割引額貯金手段
４  顧客端末
５  クライアント
６  書籍販売受付ページ
６ａ  書籍販売受付ページの発売中欄
６ｂ  書籍販売受付ページ発売予定欄
７  タイトル登録画面
８  号登録画面
１０  入荷登録画面
【図１】
2004303132.tif 000003
【図２】
2004303132.tif 000004
【図３】
2004303132.tif 000005
【図４】
2004303132.tif 000006
【図５】
2004303132.tif 000007
【図６】
2004303132.tif 000008
【図７】
2004303132.tif 000009
【図８】
2004303132.tif 000010